(57)【要約】高解像度且つ低ビットエラー率のＭＡＭＭＯＳ読み取りのために磁気ヘッドが提案され、当該磁気ヘッドは、導電性巻き線（５ａ， ５ｂ）を有するコイル層構造（３ａ， ３ｂ）を持つ平らな磁気コイル（１）を含み、前記コイル層構造に平行に延在すると共に面内磁気軸（ｍ）を持つ永久磁石層（７）構造を含む。
2004519064.tif 000002
【特許請求の範囲】
【請求項１】
特には光磁気装置における使用のための磁気ヘッドであって、導電性巻き線を有する少なくとも１つのコイル層構造を持つ少なくともほぼ平らな磁気コイルを含み、前記コイル層構造にほぼ平行に延在すると共に面内磁気軸を持つ永久磁石層を含む、磁気ヘッド。
【請求項２】
請求項１に記載の磁気ヘッドであって、前記磁気コイルが中心領域と前記中心領域の周りに延在する前記導電性巻き線とを有し、前記永久磁石層構造が、前記磁気コイルの前記中心領域について対向し合う側に位置する２つの平らな永久磁石を含む、磁気ヘッド。
【請求項３】
請求項１に記載の磁気ヘッドであって、前記磁気コイルが中心領域と前記中心領域の周りに延在する前記導電性巻き線とを有し、前記永久磁石層構造が前記中心領域に位置する永久磁石を含む、磁気ヘッド。
【請求項４】
前記コイル層構造に少なくとも部分的に平行に延在するヘッド面を有する請求項１に記載の磁気ヘッドであって、前記永久磁石層構造が前記コイル層構造の前記ヘッド面から遠い方の側に位置する磁気ヘッド。
【請求項５】
前記コイル層構造に少なくとも部分的に平行に延在するヘッド面を有する請求項１に記載の磁気ヘッドであって、前記永久磁石層構造が前記コイル層構造の前記ヘッド面から近い方の側に位置する磁気ヘッド。
【請求項６】
前記コイル層構造に少なくとも部分的に平行に延在するヘッド面を有する請求項１に記載の磁気ヘッドであって、前記永久磁石層構造と前記コイル層構造とが１つの面に位置し、前記コイル層構造が前記永久磁石層構造の少なくとも２つの永久磁石の間に延在する磁気ヘッド。
【請求項７】
前記コイル層構造にほぼ平行に延在する軟磁性層構造を含む請求項１に記載の磁気ヘッド。
【請求項８】
前記コイル層構造が前記永久磁石層構造と前記軟磁性層構造との間に延在する請求項７に記載の磁気ヘッド。
【請求項９】
前記コイル層構造に少なくとも部分的に平行に延在するヘッド面を有する請求項８に記載の磁気ヘッドであって、前記軟磁性層構造が前記コイル層構造の前記ヘッド面から遠い方の側に位置する磁気ヘッド。
【請求項１０】
前記永久磁石層構造が、少なくとも１つの非導電性中間層を有する積層構造である請求項１に記載の磁気ヘッド。
【請求項１１】
光磁気装置に用いられ、請求項１乃至１０のいずれか１項に記載の磁気ヘッドを含むスライダ。
【請求項１２】
前記磁気ヘッドが実装されるスライダボディを有する請求項１１に記載のスライダ。
【請求項１３】
請求項１乃至１０のいずれか１項に記載の磁気ヘッドを具備する対物レンズを有する光学記録及び／又は再生ヘッド。
【請求項１４】
請求項１乃至１０のいずれか１項に記載の磁気ヘッドを含むか、請求項１１若しくは１２に記載のスライダを含むか、又は、請求項１３に記載の光学ヘッドを含む、光磁気装置。
【請求項１５】
レーザスポット及び外部磁場により静磁気的に結合又は交換結合された層を有する光磁気記憶媒体のトラックに存在する情報を読み取る方法であって、前記媒体中で前記トラックの方向に磁場成分を発生させるために永久磁石が用いられる方法。
【請求項１６】
請求項１４に記載の光磁気装置が用いられる請求項１５に記載の方法。
【発明の詳細な説明】
【０００１】
【発明の属する技術分野】
本発明は、導電性巻き線を有する少なくとも１つのコイル層を持つ少なくともほぼ平らな磁気コイルを含む磁気ヘッドに関する。この磁気ヘッドは特には光磁気装置における使用のためのものである。
【０００２】
【従来の技術】
このような磁気ヘッドの実施例は国際特許出願公開公報第ＷＯ−Ａ９８／４８４１８号に開示されている。このＰＣＴ文書から知られる磁気ヘッドは２つの平行コイル部分を有する平らな磁気コイルを含み、前記コイル部分のそれぞれは薄膜技術により形成された複数の巻き線を有する。この磁気コイルは、このコイルと共に光学ビームのための中心通路を規定する磁気ヨーク中に延在する。既知の磁気ヘッドは記録層を有する光磁気（ＭＯ）媒体へのデータの記憶のための光磁気（ＭＯ）システムにおける使用が意図されており、この磁気ヘッドはデータの記憶又は読み取りの最中にはＭＯ媒体の主面から短い距離に位置される。このような光磁気システムは、前記磁気ヘッド以外に、レーザ源と、レーザビームが中心経路を介して記録層に送られることを可能にする焦点レンズを含む光学部品とを有する。データの記憶の最中にレーザビームはＭＯ媒体の記録層の抗磁力を低減させるのに用いられ、選択された箇所がほぼ記録層のキュリー点まで熱せられる。同時に磁気コイルは、磁区のパターンを規定するために記録層を横切る時間変動磁場を生じさせるよう、活性化される。記憶された情報の読み出し最中にＭＯ媒体はレーザビームによりスキャンされ、ここでそれ自身は既知である光磁気Ｋｅｒｒ効果が用いられる。
【０００３】
情報の光磁気記憶の最中には記憶されたデータビットの最小幅は回折限界、つまり用いられる焦点レンズの開口数（ＮＡ）及びレーザ源により放射されるレーザビームの波長により決定される。
【０００４】
一般的に前記幅の低減はより短い波長のレーザ及びより高いＮＡの光学焦点システムに基づく。光磁気記録の最中に、最小ビット長は、レーザパルス磁場変調（ＬＰ−ＭＦＭ）を用いることにより光回折限界よりも小さくなるように低減させられることが可能である。このようなプロセスでは、ビット長は、交番する磁場と組み合わせたレーザのパルス速度により決定される。この態様で記録された小さなマークを読むためには、静磁気的に結合された層を持つ媒体に基づくＭＡＭＭＯＳ等の磁区拡大方法を含む磁気超解像（ＭＳＲ）技術が用いられる。磁区拡大方法の利点は、回折限界よりも小さい長さを持つマークは回折限界点に相当する大きさのマークと類似した信号対ノイズ比により検知されることが可能であるということである。
【０００５】
ＭＡＭＭＯＳと呼ばれる磁気増幅光磁気（ＭＯ）システムがＩＥＥＥ Ｊｏｕｒｎａｌ ｏｆ Ｓｅｌｅｃｔｅｄ Ｔｏｐｉｃｓ ｉｎ Ｑｕａｎｔｕｍ Ｅｌｅｃｔｒｏｎｉｃｓの１９９８年９月／１０月号、Ｖｏｌ． ４、Ｎｏ． ５の８１５−８２０ページに説明されている。
【０００６】
ＭＡＭＭＯＳの構想は、読み取り時間に磁区拡大を用いることにより信号増強を実現するというものである。互いに静磁気的に結合した記憶層と読み取り層とを有する記憶媒体が使用される。読み取り最中にレーザビームは読み取り位置において媒体を加熱する。記憶層中のマーク、つまり、読み取り層の初期磁化方向と反対の磁化方向を持つビットが、温度が磁化反転を可能にするのに十分に高いコピーウィンドウと呼ばれる領域内にあれば、磁区が読み取り層中で核形成し始める。この磁区の拡大のために外部磁場が印加され、磁区の検知の後に磁区を崩壊させるように磁場は反転させられる。
【０００７】
前記の国際特許出願公開公報第ＷＯ−Ａ ９８／４８４１８号から知られる磁気ヘッド中で用いられるコイルは、ＭＡＭＭＯＳと組み合わせて用いられる場合には限定された読み取り解像度を持つ。
【０００８】
【発明が解決しようとする課題】
本発明の目的は静磁気的に結合された層に基づいた磁区拡大技術の使用により読み取り解像度を増加させる磁気ヘッドを提供することである。
【０００９】
【課題を解決するための手段】
この目的は、導電性巻き線を有する少なくとも１つのコイル層を持つ少なくともほぼ平らな磁気コイルを含み、前記コイル層構造にほぼ平行に延在すると共に面内磁気軸を持つ永久磁石層を含む、本発明による磁気ヘッドにより達成される。適用された手法のため、本発明による磁気ヘッドは使用中にコイル層構造により生じる時間変動垂直磁場及び永久磁石層構造により生じる静止面内バイアス磁場を提供する。永久磁石層に適した物質は、例えばＣｏＰｔ若しくはＦｅＰｔ合金、Ｃｏ／Ｐｔ若しくはＣｏ／Ｐｄ積層又はＮｄ２Ｆｅ１４Ｂ若しくはＣｏ５Ｓｍ希土類遷移金属化合物である。
【００１０】
読み取りプロセスの初期段階中のＭＡＭＭＯＳ媒体の読み取り層中の小さな反転領域の核生成は、浮遊磁場が最も強く浮遊磁場方向が垂直方向から離れた領域で主に起こり、これにより、面内浮遊磁場成分は読み取り層において垂直磁化にトルクを作用させて核生成を誘発させることができる。従って、既知の装置による読み取りの最中には、核生成はマークの中心の近傍ではなくマーク／非マーク及び非マーク／マーク遷移の近傍で開始する。これは検知領域の拡大を招き、これにより高解像度読み取りの最中に誤ってコピーされた磁区を招く。
【００１１】
本発明による磁気ヘッドを用いることにより、誤ってコピーされた磁区の不利な影響を抑制するために、トラック方向の磁場成分を持ち十分な強度を持つ外部磁場を生じさせることができる。最後に言及した磁場成分は、該面内磁場成分の方向に依存して、マーク／非マーク遷移の核生成を増加させ非マーク／マーク遷移の核生成を低減させるか、又はその逆を行う。結果として生じる傾いた磁場を読み取り最中にコピーウィンドウ運動と組み合わせることは、小さなマーク及び非マークに対する低減されたビット誤り率につながる。更に、本発明に基づいた構造の影響は、面内磁場成分が初期磁区拡大速度を高めることができるということであり、これは高いデータ速度に対して有利である。上で規定された影響以外に、本発明による磁気ヘッドは面内バイアス磁場を生じさせるのに電流を必要とせず熱損失を制限することができるという利点がある。
【００１２】
ＬＰ−ＭＦＭ記録及びＭＡＭＭＯＳ読み取り等の最中に高いデータ速度を得るためには磁気コイルは小さく且つ媒体の近くにあるべきである。本発明による手段は、コイル及び光学焦点システムが光磁気媒体の同じ側に存在し、レーザスポットがコイルを通じて焦点合わせされる、いわゆる第１表面又はカバー層入射記録構成において特に有利である。この文脈で本発明による磁気ヘッドの実施例は、磁気コイルが中心領域を有すると共に導電性巻き線がこの中心領域の周りに延在することと、永久磁石層構造が、前記磁気コイルの前記中心領域について反対側に位置する２つの平らな永久磁石を含むこととを特徴とする。磁石は磁気コイルの中心領域内で所望の面内磁場を生じさせるために同一の磁化方向を持つ。この実施例は、使用中に、傾いた磁場をコイルの中心領域の比較的大きな部分に亘って得て、このときこの中心領域がカバーされることがないような、可能性を与える。中心領域は透明内側領域又は内側開口であり得る。光磁気媒体がコイルと光学焦点システムとの間に延在し、且つ、レーザビームがコイルを通過しないような、基板入射記録の場合、磁気コイルが中心領域を有すると共に導電性巻き線がこの領域の周りに延在し、永久磁石層構造がこの中心領域内に位置する永久磁石を含むような実施例が有利である。
【００１３】
媒体中で非常に強い面内磁場を生じさせることができる本発明による磁気ヘッドの１つの実施例は、永久磁石層構造が、コイル層構造の、記憶媒体の主要面の反対に配置されるべきヘッド面に向けられる方の側に位置することを特徴とする。前記ヘッド面は、コイル層構造に少なくとも部分的に平行に延在するヘッド面により形成されるか又はこのようなヘッド面を含んでもよい。この実施例の使用の最中に生じた磁場は永久磁石層構造の端に近づくにつれて増加するかもしれないが、媒体は重要な領域では熱せられないためこの付随的な影響は読み取りプロセスにほとんど影響しない。
【００１４】
上述の付随的な影響を持たない他の実施例は、永久磁石コイル構造が、コイル構造のヘッド面から背けられた方の側に位置することを特徴とする。磁気コイルが永久磁石層構造とヘッド面との間に延在するこの構成は、面内磁場が幾分弱いにもかかわらず好ましい。
【００１５】
更に他の実施例は、永久磁石層構造及びコイル層構造が同一平面上に位置し、コイル層構造が永久磁石層構造の永久磁石の対の間に延在することを特徴とする。共面構造を持つこの実施例は、特に、所望の面内磁場成分がコイル層構造から比較的遠い場所において比較的大きな領域に亘って必要とされる場合に有利である。
【００１６】
磁気コイルの中心領域の寸法及び／又は使用中のコイルの媒体への距離に依存して、コイル層構造にほぼ平行に延在する軟磁性層構造はコイルにより生じる記憶媒体中の磁場を増大させるのに有利になり得る。この理由により本発明による磁気ヘッドの１つの実施例はこのような軟磁性層構造を備える。このような実施例においてコイル層構造は永久磁石層構造と軟磁性層構造との間に延在するか、又は軟磁性層構造はコイル層構造のヘッド面から背けられた側に位置してよい。軟磁性層構造は導電性巻き線の効率を向上させる。更に、特に永久磁石層構造とコイル層構造とが同一平面上に位置していれば、永久磁石の効率は軟磁性層構造により向上する。軟磁性層構造は、磁気コイルが媒体の１つの側に位置し、レーザビームが記憶媒体の基板を通じてスポットに焦点合わせされるような記録構成の場合には、連続的軟磁性薄膜であってよい。そうでない場合、軟磁性層構造は断続性軟磁性薄膜として形成されてよい。軟磁性層構造に適切な軟磁性材料は例えばＮｉＦｅ、ＣｏＺｒＮｂ又はＦｅＴａＮ合金である。
【００１７】
永久磁石層構造としての固体金属永久磁石薄膜はコイルが高周波で動作されるときに誘導され得る渦電流を引き起こすかもしれない。渦電流の発生が最小化させられる本発明による磁気ヘッドの１つの実施例は、永久磁石層構造が、少なくとも１つの非導電性中間層を持つ積層構造であることを特徴とする。磁性材料は例えばＣｏＰｔ合金で、絶縁物質は例えばＳｉＯ２であってよい。磁気コイルの永久磁石層構造への静電結合と共に、渦電流は、永久磁石層構造を１つの磁性薄膜ではなく小さな磁気ストライプと小さな非磁気ストライプとが交互になった形に構成してストライプパターンを持つ構造を生じさせることによっても打ち消すことができるかもしれない。
【００１８】
本発明は更に光磁気装置において用いられるスライダに関する。本発明によるスライダは本発明による磁気ヘッドを含む。このスライダは好適には請求項１２で規定される特徴をもつ。
【００１９】
更に、本発明は本発明による磁気ヘッドを具備する対物レンズを有する光学記録及び／又は再生ヘッドにも関する。焦点合わせ及び／又はトラッキングの役目を果たすこの対物レンズはそれ自身は既知である駆動手段により動かすことが可能である。
【００２０】
本発明は、本発明による磁気ヘッド、本発明によるスライダ又は本発明による光学ヘッドを含む光磁気装置にも関する。
【００２１】
最後に本発明は、記憶層及び読み取り層を含む、静磁気的に結合又は交換結合された層を有する光磁気媒体のトラックに存在する情報を読み取る方法に関する。この方法が実行されるとき、レーザビームは読み取り層中のスポットに焦点合わせされ、外部磁場が印加される。本発明による方法は特に読み取り層中において、媒体中でトラックの方向に磁場成分を発生させるために永久磁石が用いられることを特徴とする。本発明による方法は前に説明されたものと同一の見識に基づく。好適には、本発明による磁気ヘッド、本発明によるスライダ又は本発明による光学ヘッドがこの方法を実行するのに用いられる。
【００２２】
請求項に関連して、請求項の組に規定される種々の特有な特徴は組み合わせて起こり得るということに注意されたい。本発明の上記の及び他の側面は、非制限的な例により、以後説明される実施例を参照して説明され明らかにされる。
【００２３】
【発明の実施の形態】
図１に概略的に示される部品は光磁気装置、特にＭＡＭＭＯＳ読み取りを実行することが可能な装置における使用が意図されている。この部品は本発明による磁気ヘッドにより形成される。この部品は導電性巻き線を有する少なくとも１つのコイル層構造を持つ少なくともほぼ平らな磁気コイル１を含む。この例ではコイル１はそれぞれが導電性巻き線５ａ及び５ｂを有する２つのコイル層構造３ａ及び３ｂを備える。巻き線５ａ及び５ｂのそれぞれは接触面６ａ及び６ｂをそれぞれ備え、これら巻き線は相互配線６ｃにより電気的に相互接続されている。巻き線の材料はＣｕ又はＡｕ等の金属であってよい。この部品は更に、コイル層構造３ａ及び３ｂにほぼ平行に延在すると共に面内磁気軸ｍを有する永久磁石層構造７を含む。磁気コイル１は中央又は中心領域１０を有し、この中心領域１０の周りに導電性巻き線５ａ及び５ｂが延在する。この領域１０は透明であってよい。永久磁石層構造７は、磁気コイル１の中心領域１０について反対側に位置する２つの平らな永久磁石９ａ及び９ｂを含む。２つの磁石９ａ及び９ｂはコイル１の中心領域１０に面内磁場を生じさせるために同一の磁化方向Ｍを有する。永久磁石は例えばＣｏＰｔ合金から形成されていてよい。ＭＡＭＭＯＳ読み込みのための磁束線の所望の傾き角は磁石９ａ及び９ｂの位置及び／又は寸法及び／又は組成を最適化すること、例えば、磁石間距離を変化させ、磁石の厚さを変化させ、又は永久磁石の材料を変化させること等により得ることができる。
【００２４】
図２は使用中の典型的な構成の断面における磁束線を示し、磁気コイルの中心領域において約４５度の磁場の傾きを得ることができることを示す。この構成において用いられるコイル１０１はいわゆる２層磁気コイル、つまり２つのコイル層構造１０３ａ及び１０３ｂを持つコイルであり、それぞれが導電性巻き線１０５ａ及び１０５ｂを有する。コイル１０１はコイル軸１０１ａを有する。この構成は、コイル１０１以外にはここでは１１０で示される中心領域について反対側に位置する２つの平らな永久磁石１０９ａ及び１０９ｂを含む永久磁石層１０７を含み、これら永久磁石１０９ａ及び１０９ｂは同一の磁化方向Ｍを持つ。この例では永久磁石層１０７は３μｍの厚さを持ち、ＣｏＰｔ合金により形成されている。２つの磁石１０９ａと１０９ｂとの間の距離は約９０μｍである。中心領域において少なくとも１５ｋＡ／ｍの大きさの磁場を得ることが可能であり、このような大きさはＭＡＭＭＯＳ読み取りに対して十分であると証明されている。
【００２５】
図３Ａに示される実施例は本発明によるスライダであるが、これは本発明による磁気ヘッドであってもよく、導電性巻き線２０５を有するコイル層構造２０３を含み、更に、中心領域２１０について反対側に位置する２つの平らな永久磁石２０９ａ及び２０９ｂを有する永久磁石層構造２０７を含む。この実施例は、この文書においてはヘッド面とも呼ばれる面２２０を有するスライダボディ２１８を有し、これは使用の最中光磁気記憶媒体の主要面の反対に位置される。この例では永久磁石層構造２０７はコイル層構造２０３のヘッド面２２０に向けられる方の側に位置する。言い換えると、永久層構造はコイル層構造とヘッド面との間に延在する。この実施例ではスライダと磁気ヘッドが一体型のユニット又は部品を形成するということが明らかになるであろう。図３Ｂに示される実施例は、コイル層構造２０３のヘッド面２２０から遠い方の側に平行に延在する永久磁石層構造２０７を含む。図３Ｃに示される実施例はコイル層構造２０３の中心領域２１０に存在する永久層構造２０７を含む。
【００２６】
図４に示される実施例はコイル層構造３０３、永久磁石層構造３０７及び軟磁性層構造３３０を含み、この軟磁性層構造３３０は透明中心領域３１０を作るのを可能にするために磁性層部分３３１ａ及び３３１ｂを含む。これはレーザビームが記録及び／又は読み取りプロセス中に磁性コイルを通じて導かれるとき必要とされる。これら層構造の全ては互いに平行であり、コイル層構造３０３は層構造３０７と３３０との間に延在する。軟磁性層構造３３０はコイル層構造３０３のヘッド面３２０から遠い方の側に位置する。軟磁性層構造は例えばＮｉＦｅ合金から形成されてよい。
【００２７】
図５に示される実施例は、ヘッド面４２０を有し、また、コイル層構造４０３及び永久磁石層構造４０７を含み、この両者はヘッド面４２０に平行に延在する同一の面に位置する。永久磁石層構造４０７は少なくとも１対の磁石４０９ａ及び４０９ｂを有し、この構造４０７は磁石４０９ａと４０９ｂとの間に延在する。
【００２８】
図６に示される実施例は図５に示される実施例に類似しているが、追加で軟磁性層構造５３０を具備し、この軟磁性層構造５３０は、ヘッド面５２０に平行に延在し、コイル層構造５０３と永久磁石層構造５０７とが、一方の側は軟磁性層構造５３０で、他方の側がヘッド面５２０である間に延在するような態様に構成されている。
【００２９】
図７、７Ａ及び７Ｂに示される実施例はコイル層構造６０３及び互いに平行に延在する永久磁石層構造６０７を含む。永久磁石層構造６０７中の渦電流を防止するために、この層は、例えばＣｏＰｔ合金等の永久磁石材料のサブ層６４０が例えば石英等の非導電材料の中間層６４２と交互になるように積層される。
【００３０】
図８に示される本発明による光磁気装置の実施例は光磁気（ＭＯ）ディスク７５５のための軸７５３を回動自在に支持するフレーム７５１を有し、スライドドライブの２つの磁気ヨーク７５７がこのフレームに固定される。スライドドライブは更に磁気ヨークと協動する２つのドライブコイル７５９ａを含む。ドライブコイル７５９ａは軸７５３に関して径方向の並進運動を行うことができるスライド７５９の一部を形成する。スライド７５９は、例えば図３に示されるスライダ等の本発明によるスライダの実施例７６３を備えるばねサスペンション７６１を有する。図８に示される装置は本発明による読み取り方法を実行するのに使用することができる。この方法によれば、光磁気的に結合された層を持つ光磁気記憶媒体のトラックに存在する情報はレーザスポット、外部磁場、及び、特に前記永久磁石層構造により形成される、記憶媒体中でトラックの方向に磁場成分を生じさせるのに用いられる永久磁石により読み取られる。よって、平面磁場変調コイルを構造化された永久磁石層と組み合わせて使用することにより高解像度で低ビット誤り率のＭＡＭＭＯＳ読み取りが得られる。
【００３１】
図９に示される光記録及び／又は再生ヘッドの実施例は光磁気装置の一部であってよく、対物レンズ８０２ａ及びフロントレンズ８０２ｂを含む対物レンズを有する。対物レンズ８０２ａ及び８０２ｂはフォーカス及び／又はトラッキングアクチュエータのアクチュエータ素子のための支柱８０６を有するフレーム８０４に固定される。この対物レンズ、特にこのフロントレンズ８０２ｂは、本発明による磁気ヘッドの実施例８０８、例えば図７に示される磁気ヘッドを具備する。磁気ヘッド８０８を備えたフロントレンズ８０２ｂは、前記アクチュエータによって、ＭＯディスク８１０に関してフォーカス動作Ｆ及び／又はトラッキング動作Ｔを実行することが可能である。
【００３２】
本発明はここに示される例に限定されないことに注意されたい。よって、磁気コイルは１つ又は２つよりも多くのコイル層又はコイル層構造を有してよい。更に、スライダに組み込まれた磁気ヘッドの代わりにスライダに固定又は装着された本発明による磁気ヘッドを用いることが可能である。更に、ＭＯ装置はスライダの代わりに又は追加してスイングアームを具備することが可能である。
【００３３】
更に本特許文書に規定される手法はヨーロッパ特許出願第００２０１４１２．４号（ここに参照により組み込まれるＰＨＮＬ０００２２１ＥＰＰ）に開示される手法と有利に組み合わせられることが可能であることに注意されたい。これは、平らな磁気コイルが、コイルの中心領域の周りに構成された巻き線を各コイル層が持つ平行なコイル層を持ってよいということを意味する。コイル層の内少なくとも１つが巻き線を持ってよく、これら巻き線の内中心領域により近い巻き線は、中心領域からより遠い巻き線よりも小さな幅を持ち、コイル層の内少なくとも１つは、他のコイル層の内の１つの最外巻き線よりも中心領域により近くに位置した最外巻き線を持つ。このようなコイル構造は限定された静電容量を持ち、電力損失も限定される。
【図面の簡単な説明】
【図１】光磁気装置における使用のための本発明による磁気ヘッドの原理を示す概略的平面図。
【図２】本発明による磁気ヘッドの実施例における磁束線を図１中でＸ−Ｘにより示される断面部位において表すグラフ。
【図３Ａ】本発明による磁気ヘッド又はスライダの実施例を図１中の線Ｘ−Ｘで得られる断面図に類似した断面図において概略的に示した図。
【図３Ｂ】本発明による磁気ヘッド又はスライダの実施例を図１中の線Ｘ−Ｘで得られる断面図に類似した断面図において概略的に示した図。
【図３Ｃ】本発明による磁気ヘッド又はスライダの実施例を図１中の線Ｘ−Ｘで得られる断面図に類似した断面図において概略的に示した図。
【図４】本発明による磁気ヘッド又はスライダの実施例を図１中の線Ｘ−Ｘで得られる断面図に類似した断面図において概略的に示した図。
【図５】本発明による磁気ヘッド又はスライダの実施例を図１中の線Ｘ−Ｘで得られる断面図に類似した断面図において概略的に示した図。
【図６】本発明による磁気ヘッド又はスライダの実施例を図１中の線Ｘ−Ｘで得られる断面図に類似した断面図において概略的に示した図。
【図７】本発明による磁気ヘッド又はスライダの実施例を図１中の線Ｘ−Ｘで得られる断面図に類似した断面図において概略的に示した図。
【図７Ａ】図７中の線ＶＩＩＡ−ＶＩＩＡで得られる概略的断面図。
【図７Ｂ】図７中で矢印ＶＩＩＢにより示される概略的平面図。
【図８】本発明による磁気ヘッドのアプリケーションを概略的に示す図。
【図９】本発明による光学ヘッドの概略的断面図。
【国際公開パンフレット】
2004519064.tif 000003
2004519064.tif 000004
2004519064.tif 000005
2004519064.tif 000006
2004519064.tif 000007
2004519064.tif 000008
2004519064.tif 000009
2004519064.tif 000010
2004519064.tif 000011
2004519064.tif 000012
2004519064.tif 000013
2004519064.tif 000014
2004519064.tif 000015
2004519064.tif 000016
2004519064.tif 000017
2004519064.tif 000018
2004519064.tif 000019
2004519064.tif 000020
【国際調査報告】
2004519064.tif 000021
2004519064.tif 000022
2004519064.tif 000023